(57)【要約】      （修正有）【課題】軽量な合成樹脂管の抱持支持に適しており、しかも複数本の配管を並列状態で支持する場合であっても有効な配管支持具を提供する。【解決手段】１本の帯状バンド体を環状に湾曲したバンド抱持部によって配管Ｐ類を抱持可能であり、端部が接続部材に接続されることにより取付面からの吊下又は立上が可能な配管支持バンドから成り、且つ、バンド抱持部の最下部の帯状バンド体の一部を、配管軸方向に直交する左右に切り起こされた状態で横方向外側に各々延伸する取付部が形成された構成を有する配管支持具本体１と、更に、この配管支持具本体の取付部に別なる配管支持具である第２配管支持具４が接続取付された状態で、第２配管支持具に別なる配管である第２配管ＰＰの抱持支持を可能とした構成である。【選択図】図１
2017122468.tif 000002
【特許請求の範囲】
【請求項１】
配管を抱持するバンド抱持部と該バンド抱持部の上端部に連接されたバンド端部を有する配管支持具であって、抱持した配管を、天井スラブ・壁面・床面の如き取付面から吊下支持又は立上支持する配管支持具において、
一本の帯状バンド体が環状に彎曲されて前記バンド抱持部が形成され、
該帯状バンド体の開放両端部の前記バンド端部がタンバックル・Ｔ足の如き接続部材に接続されることにより前記取付面からの吊下又は立上が可能な構成であり、
且つ、前記バンド抱持部の最下部の帯状バンド体の一部を、配管軸方向に直交する左右に切り起こされた状態で横方向外側に各々延伸する取付部が形成された構成を有する配管支持具本体と、
更に、この配管支持具本体の前記取付部に別なる配管支持具である第２配管支持具が接続取付された状態で、該第２配管支持具に別なる配管である第２配管の抱持支持を可能とした構成であることを特徴とする配管支持具。
【請求項２】
バンド抱持部の最下部の略中央線の位置部分から左方向と右方向に切り分けて各々が外側方向に向かって切り起こされた状態で横方向外側の各々に延伸する取付部が形成された構成であることを特徴とする請求項１に記載の配管支持具。
【請求項３】
帯状バンドの環状方向と平行に且つ並列する２本の切起し部を設け、この２本の内の一方の切起し部が左方向外側に向かって切起され、他方の切起し部が右方向外側に向かって切起された状態で横方向外側の各々に延伸する取付部が形成された構成であることを特徴とする請求項１に記載の配管支持具。
【請求項４】
前記取付部の各々の基端部近傍の上方部分が該基端部側に切起され、この切り起こした部分が前記取付部の少なくとも一部に重合された状態で重合取付部が形成された構成であることを特徴とする請求項１〜３のいずれかに記載の配管支持具。
【発明の詳細な説明】
【技術分野】
【０００１】
本発明は配管支持具に関し、詳しくは、１〜３本の給水管、給湯管、排水管等の種々配管類を天井スラブ等から吊下支持したり、壁面や床面等から立上支持する配管支持具に関する。
【背景技術】
【０００２】
給水管、給湯管、排水管等の種々配管類を支持固定するために抱持バンドを有する配管支持具が用いられている（例えば、特許文献１等参照）。
【０００３】
この種の配管支持具は、半割状の環状部材から成るバンド部と該バンド部の端部に連設された接続部にタンバックルを接続固定し、このタンバックルを天井スラブ等から垂設された吊りボルトや壁面スラブ等から立設された立ちボルトに緊締することにより固定支持する構成を有している。
【先行技術文献】
【特許文献】
【０００４】
【特許文献１】特開平０９−１２６２１６号
【発明の概要】
【発明が解決しようとする課題】
【０００５】
種々の配管類は、近年、鋼管に代わって合成樹脂管（ポリエチレン管、架橋ポリエチレン管、ポリブデン管、塩化ビニル管、プロピレン管、ＡＢＳ管等）が用いられるようになってきており、今後、大部分の配管類が鋼管から合成樹脂管に代わることが予想されている。
【０００６】
合成樹脂管は、高い耐蝕性を有し、しかも鋼管と同等乃至同等以上の耐熱性及び耐衝撃性を有するのに鋼管に比して軽量であり、更に加工が容易であるため、取扱性等の点で優れている。
【０００７】
本発明者は、かかる合成樹脂管の配管支持技術について鋭意研究を続けたところ、合成樹脂管は上記したように軽量であるため、従来の鋼管用の支持具が求められるほどの堅牢度・強度等が不要であることを見出した。また、複数本の並列状態で支持する場合においても同様である。
【０００８】
そこで本発明の課題は、軽量な合成樹脂管の抱持支持に適しており、しかも複数本の配管を並列状態で支持する場合であっても有効な配管支持具を提供することにある。
【課題を解決するための手段】
【０００９】
上記課題を解決する本発明は下記構成を有する。
【００１０】
１．配管を抱持するバンド抱持部と該バンド抱持部の上端部に連接されたバンド端部を有する配管支持具であって、抱持した配管を、天井スラブ・壁面・床面の如き取付面から吊下支持又は立上支持する配管支持具において、
一本の帯状バンド体が環状に彎曲されて前記バンド抱持部が形成され、
該帯状バンド体の開放両端部の前記バンド端部がタンバックル・Ｔ足の如き接続部材に接続されることにより前記取付面からの吊下又は立上が可能な構成であり、
且つ、前記バンド抱持部の最下部の帯状バンド体の一部を、配管軸方向に直交する左右に切り起こされた状態で横方向外側に各々延伸する取付部が形成された構成を有する配管支持具本体と、
更に、この配管支持具本体の前記取付部に別なる配管支持具である第２配管支持具が接続取付された状態で、該第２配管支持具に別なる配管である第２配管の抱持支持を可能とした構成であることを特徴とする配管支持具。
【００１１】
２．バンド抱持部の最下部の略中央線の位置部分から左方向と右方向に切り分けて各々が外側方向に向かって切り起こされた状態で横方向外側の各々に延伸する取付部が形成された構成であることを特徴とする上記１に記載の配管支持具。
【００１２】
３．帯状バンドの環状方向と平行に且つ並列する２本の切起し部を設け、この２本の内の一方の切起し部が左方向外側に向かって切起され、他方の切起し部が右方向外側に向かって切起された状態で横方向外側の各々に延伸する取付部が形成された構成であることを特徴とする上記１に記載の配管支持具。
【００１３】
４．前記取付部の各々の基端部近傍の上方部分が該基端部側に切起され、この切り起こした部分が前記取付部の少なくとも一部に重合された状態で重合取付部が形成された構成であることを特徴とする上記１〜３のいずれかに記載の配管支持具。
【００１４】
本明細書において、「上方」、「上端」、「下方」、「下端」の上下位置を示す語は、本発明の配管支持具が取り付けられる取付面を基準にして、該取付面に近い位置を「上」とし、該取付面から離れた位置を「下」としている。
即ち、吊下支持に用いる場合の「上方」「上端」は文字通りの「上」であり、「下方」「下端」は文字通りの「下」であるが、床面からの立上支持に用いる場合の「上方」「上端」は文字通りとは正反対の「下」となり、「下方」「下端」は文字通りとは正反対の「上」となる。また、壁面からの立上支持に用いる場合の「上方」「上端」は壁面に近い側であり、「下方」「下端」は壁面から遠い位置である。
更に、「横」、「左」、「右」は、上記した「上」と「下」を結ぶ線と縦軸とし、この縦軸に直交する横軸の方向を「横」とし、この横方向の一方を「左」、この一方と反対側の他方を「右」としている。
【００１５】
本明細書において、「上方」、「上端」、「下方」、「下端」の上下位置を示す語は、本発明の配管支持バンドが取り付けられる取付面を基準にして、該取付面に近い位置を「上」とし、該取付面から離れた位置を「下」としている。
即ち、吊下支持に用いる場合の「上方」「上端」は文字通りの「上」であり、「下方」「下端」は文字通りの「下」であるが、床面からの立上支持に用いる場合の「上方」「上端」は文字通りとは正反対の「下」となり、「下方」「下端」は文字通りとは正反対の「上」となる。また、壁面からの立上支持に用いる場合の「上方」「上端」は壁面に近い側であり、「下方」「下端」は壁面から遠い位置である。
【発明の効果】
【００１６】
請求項１に示す発明によれば、軽量な合成樹脂管の抱持支持に適しており、しかも複数本の配管を並列状態で支持する場合であっても有効な配管支持具を提供することができる。
【００１７】
特に、一本の帯状バンド体から成るバンド抱持部を有するいわゆる提灯式の配管支持バンドと呼ばれる配管支持具に適用する構成によって、配管支持具の単価を下げることができる。しかも、取付部は、バンド抱持部を切り起こすだけで加工可能であるため、別部材を付加することもないし、切取加工等によって廃棄が必要となる部材も生じることもなく、低コスト化が可能な上に環境適性にも優れている。
【００１８】
請求項２に示す発明によれば、左右の取付部の各々を幅広く形成することも可能である。
【００１９】
請求項３に示す発明によれば、左右の取付部の各々の切起し長さを長くすることも可能である。
【００２０】
請求項４に示す発明によれば、取付部が重合取付部の重合によって補強されるので、別部材を付加することなく重量の増加を招くことなく、取付部の強度を高くすることができる。
【図面の簡単な説明】
【００２１】
【図１】本発明に係る配管支持具の第１実施例の使用状態（吊下支持）を示す概略正面図
【図２】第２配管支持具を取り外した状態の第１実施例の配管支持具を示す６面図（正面図、平面図、底面図、左側面図、右側面図、Ａ−Ａ断面図）
【図３】本発明に係る配管支持具の第１実施例の別なる使用状態（立上支持）を示す概略正面図
【図４】第２配管支持具を取り外した状態の配管支持具の第２実施例を示す７面図（正面図、平面図、底面図、左側面図、右側面図、Ｂ−Ｂ断面図、Ｃ−Ｃ断面図）
【図５】第２配管支持具を取り外した状態の配管支持具の第３実施例を示す６面図（正面図、平面図、底面図、左側面図、右側面図、Ａ−Ａ断面図）
【図６】第２配管支持具を取り外した状態の配管支持具の第４実施例を示す６面図（正面図、平面図、底面図、左側面図、右側面図、Ａ−Ａ断面図）
【発明を実施するための形態】
【００２２】
次に、添付の図面に従って本発明について詳細に説明する。
【００２３】
本発明に係る配管支持具は、給水管、給湯管、排水管等の種々配管を、天井スラブから吊下げた状態で、或いは床面や壁面等から立上げた状態で固定支持するものである。
この配管支持具の取付構成としては、天井スラブからの吊下支持の場合は該天井スラブから垂設固定された吊りボルトにタンバックルを介して接続取付することにより吊下支持され、また壁面や床面からの立上支持の場合は該壁面や床面に立設固定されたＴ足等に接続取付することにより立上支持される構成である。
【００２４】
固定支持する種々の配管としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管を排除するものではない。
【００２５】
本発明の配管支持具は、図１に示すように天井スラブからの吊下支持に用いたり、図３に示すように壁面や床面からの立上支持に用いることができ、その具体的構成例としては、
配管Ｐを抱持するバンド抱持部１１と該バンド抱持部１１の上端部に連接されたバンド端部１３・１３を有し、抱持した配管Ｐを、天井スラブ・壁面・床面の如き取付面２から吊下支持又は立上支持する構成において、
図２に示すように、
一本の帯状バンド体が環状に彎曲されて前記バンド抱持部１１が形成され、
該帯状バンド体の開放両端部の前記バンド端部１３・１３がタンバックル・Ｔ足の如き接続部材３に接続されることにより前記取付面２からの吊下又は立上が可能な構成であり、
且つ、前記バンド抱持部１１の最下部の帯状バンド体の一部を、配管軸方向に直交する左右に切り起こされた状態で横方向外側に各々延伸する取付部１４が形成された構成を有する配管支持具本体１と、
更に、図１又は図３に示すように、この配管支持具本体１の取付部１４Ａ・１４Ｂに別なる配管支持具である第２配管支持具５が接続取付された状態で、該第２配管支持具５に別なる配管である第２配管ＰＰの抱持支持を可能とした構成である。
【００２６】
以下、本発明の構成について更に詳説する。
【００２７】
配管支持具本体１は、上記したように一本の帯状バンド体を環状に彎曲することによって形成された構成の提灯式の配管支持バンドから成ることを基本構成とする。即ち、バンド抱持部１１の最下部１２に組式又は蝶番式の接続部の無い構成の配管支持バンドから成る。
【００２８】
該配管支持具本体１の加工手段としては、１本の帯状バンド体を打ち抜き・プレス・折曲等の簡易な加工手段を挙げることができる。これらの加工手段によって、極めて低コストでの提供が可能である。また、用いられる材質としては、この種の配管支持具に用いられる材料として公知公用のものを特別の制限なく用いることができ、好ましくはステンレスやその他の金属である。
【００２９】
尚、図１に示す符号５は取付面２である天井スラブから垂設固定された吊りボルトである。この吊りボルト５に接続する接続部材３へのバンド端部１３・１３の接続は、図１に示すような吊下支持の場合には１組のボルト・ナット１６によって接続可能であるが、図３に示すような立上支持の場合には２組（乃至は３組以上）のボルト・ナット１６によって接続することが安定支持状態での接続の点で好ましい。
【００３０】
尚また、図２に示す符号１１Ｃは、取付部１４Ａ・１４Ｂが切り起こされることで連続する一つの孔部となったバンド抱持部１１の被切起し孔部である。
【００３１】
上記の取付部１４Ａ・１４Ｂの切起し形成について更に詳説すると、図１、図２及び図３に示す本第１実施例では、バンド抱持部１１の最下部１２の略中央線の位置部分から左方向と右方向に切り分けて各々を外側方向に向かって切り起こすことにより、左右方向外側の各々に延伸するように取付部１４Ａ・１４Ｂが形成される構成になっている。かかる構成によれば、左右の取付部１４Ａ・１４Ｂの各々を幅広く形成することも可能である。
【００３２】
また、取付部１４Ａ・１４Ｂの各々について、各々の切起した基点部分をスポット溶接の如き補強手段を用いて補強する構成が好ましく、かかる構成によれば、切起し部分の破断や裂けを抑制できるので、この切起した起点部分の強度を高くすることができる。
【００３３】
更に、取付部１４（１４Ａ・１４Ｂ）に接続取付される第２配管支持具４としては、図１及び図３に示す実施例では一般的な提灯式構成の配管支持バンドを用いているが、取付部１４に接続取付可能であれば公知公用の他の構成の配管支持具を用いることができ、例えば、組式構成や蝶番式構成等の他の構成の配管支持バンドを好ましい第２配管支持具として挙げることができる。
【００３４】
次に、図４に示す取付部１４Ａ・１４Ｂの第２実施例について説明する。
【００３５】
図４に示す取付部１４Ａ・１４Ｂの第２実施例では、バンド抱持部１１の最下部１２に、帯状バンドの環状方向と平行に且つ並列する２本の切起し部を設け、この２本の内の一方の切起し部を左方向外側に向かって切起して取付部１４Ａを形成し、他方の切起し部を右方向外側に向かって切起すことにより取付部１４Ｂを形成する構成である。かかる構成によれば、左右の取付部１４Ａ・１４Ｂの各々の切起し長さを長くすることも可能である。
【００３６】
尚、図４に示す符号１１Ａ・１１Ｂは、取付部１４Ａ・１４Ｂの各々が切り起こされることで該取付部１４Ａ・１４Ｂの各々と同大同形の空隙部である孔部となったバンド抱持部１１の被切起し孔部である。
【００３７】
次に、図５に示す取付部１４Ａ・１４Ｂの第３実施例について説明する。
【００３８】
図５に示す第３実施例は、図１及び図２に示す第１実施例の構成中の取付部切起し係止部１４Ａ・１４Ｂの夫々に対して、補強用の重合取付部１４Ｄ・１４Ｅを各々重合させた構成である。
【００３９】
重合取付部１４Ｄ・１４Ｅは、前記取付部１４Ａ・１４Ｂの各々の基端部近傍の上方部分を該基端部側に切起こし、この切起した部分を前記切起し係止部１４Ａ・１４Ｂの各々の少なくとも一部重合させることにより形成されている。
【００４０】
尚、図５に示す符号１１Ｄは重合取付部１４Ｄが切り起こされることで該重合取付部１４Ｄと同大同形の空隙部である孔部となったバンド抱持部１１の被切起し孔部であり、符号１１Ｅは重合取付部１４Ｅが切り起こされることで該重合取付部１４Ｅと同大同形の空隙部である孔部となったバンド抱持部１１の被切起し部である。
【００４１】
また、取付部１４Ａと重合取付部１４Ｄ、取付部１４Ｂと重合取付部１４Ｅとは、各々その重合部分をスポット溶接の如き接合手段を用いて接合する構成が好ましく、かかる構成によれば、取付部１４Ａ・１４Ｂの強度を高くすることができる。
【００４２】
次に、図６に示す取付部１４Ａ・１４Ｂの第４実施例について説明する。
【００４３】
図６に示す第４実施例は、図４に示す第２実施例の構成中の取付部１４Ａ・１４Ｂの夫々に対して、補強用の重合取付部１４Ｄ・１４Ｅを各々重合させた構成である。
【００４４】
重合取付部１４Ｄ・１４Ｅは、前記取付部１４Ａ・１４Ｂの各々の基端部近傍の上方部分を該基端部側に切起こし、この切起した部分を前記取付部１４Ａ・１４Ｂの各々の少なくとも一部重合させることにより形成されている。
【００４５】
尚、図６に示す符号１１Ｄは重合取付部１４Ｄが切り起こされることで該重合取付部１４Ｄと同大同形の空隙部である孔部となったバンド抱持部１１の被切起し孔部であり、符号１１Ｅは重合取付部１４Ｅが切り起こされることで該重合取付部１４Ｅと同大同形の空隙部である孔部となったバンド抱持部１１の被切起し部である。
【００４６】
また、取付部１４Ａと重合取付部１４Ｄ、取付部１４Ｂと重合取付部１４Ｅとは、各々その重合部分をスポット溶接の如き接合手段を用いて接合する構成が好ましく、かかる構成によれば、取付部１４Ａ・１４Ｂの強度を高くすることができる。
【００４７】
上記した第３実施例及び第４実施例は、共に別部材を付加することなく重量の増加を招くことなく、取付部１４Ａ・１４Ｂの強度を高くすることができる。
【符号の説明】
【００４８】
１  配管支持具本体
１１  バンド抱持部
１１Ａ  被切起し孔部
１１Ｂ  被切起し孔部
１１Ｃ  被切起し孔部
１１Ｄ  被切起し孔部
１１Ｅ  被切起し孔部
１２  最下部
１３  バンド端部
１４  取付部
１４Ａ  （左方向の）取付部
１４Ｂ  （右方向の）取付部
１４Ｄ  重合取付部
１４Ｅ  重合取付部
１５  透孔
１６  ボルト・ナット
２  天井スラブ・壁面・床面の如き取付面
３  タンバックル・Ｔ足の如き接続部材
４  第２配管支持具
５  吊りボルト
Ｐ  配管
ＰＰ  第２配管
【図１】
2017122468.tif 000003
【図２】
2017122468.tif 000004
【図３】
2017122468.tif 000005
【図４】
2017122468.tif 000006
【図５】
2017122468.tif 000007
【図６】
2017122468.tif 000008
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
配管を抱持するバンド抱持部と該バンド抱持部の上端部に連接されたバンド端部を有する配管支持具であって、抱持した配管を、天井スラブ・壁面・床面の如き取付面から吊下支持又は立上支持する配管支持具において、
一本の帯状バンド体が環状に彎曲されて前記バンド抱持部が形成され、バンド抱持部の最下部に組式又は蝶番式の接続部の無い提灯式と呼ばれる構成であり、
該帯状バンド体の開放両端部の前記バンド端部がタンバックル・Ｔ足の如き接続部材に接続されることにより前記取付面からの吊下又は立上が可能な構成であり、
前記バンド抱持部の最下部の両側であって且つ該最下部よりも上方の各々の位置に基端部を有し、この各々の基端部より下方であって且つ前記最下部を含む帯状バンド体の一部が、配管軸方向に直交する左右に切り起こされた状態で横方向外側に各々延伸する取付部が形成された構成を有する配管支持具本体と、
更に、この配管支持具本体の前記取付部に別なる配管支持具である第２配管支持具が接続取付された状態で、該第２配管支持具に別なる配管である第２配管の抱持支持を可能とした構成であることを特徴とする配管支持具。
【請求項２】
バンド抱持部の最下部の略中央線の位置部分から左方向と右方向に切り分けて各々が外側方向に向かって切り起こされた状態で横方向外側の各々に延伸する取付部が形成された構成であることを特徴とする請求項１に記載の配管支持具。
【請求項３】
帯状バンドの環状方向と平行に且つ並列する２本の切起し部を設け、この２本の内の一方の切起し部が左方向外側に向かって切起され、他方の切起し部が右方向外側に向かって切起された状態で横方向外側の各々に延伸する取付部が形成された構成であることを特徴とする請求項１に記載の配管支持具。
【請求項４】
前記取付部の各々の基端部近傍の上方部分が該基端部側に切起され、この切り起こした部分が前記取付部の少なくとも一部に重合された状態で重合取付部が形成された構成であることを特徴とする請求項１〜３のいずれかに記載の配管支持具。
【手続補正２】
【補正対象書類名】明細書
【補正対象項目名】００１０
【補正方法】変更
【補正の内容】
【００１０】
１．配管を抱持するバンド抱持部と該バンド抱持部の上端部に連接されたバンド端部を有する配管支持具であって、抱持した配管を、天井スラブ・壁面・床面の如き取付面から吊下支持又は立上支持する配管支持具において、
一本の帯状バンド体が環状に彎曲されて前記バンド抱持部が形成され、バンド抱持部の最下部に組式又は蝶番式の接続部の無い提灯式と呼ばれる構成であり、
該帯状バンド体の開放両端部の前記バンド端部がタンバックル・Ｔ足の如き接続部材に接続されることにより前記取付面からの吊下又は立上が可能な構成であり、
前記バンド抱持部の最下部の両側であって且つ該最下部よりも上方の各々の位置に基端部を有し、この各々の基端部より下方であって且つ前記最下部を含む帯状バンド体の一部が、配管軸方向に直交する左右に切り起こされた状態で横方向外側に各々延伸する取付部が形成された構成を有する配管支持具本体と、
更に、この配管支持具本体の前記取付部に別なる配管支持具である第２配管支持具が接続取付された状態で、該第２配管支持具に別なる配管である第２配管の抱持支持を可能とした構成であることを特徴とする配管支持具。